(57)【特許請求の範囲】
【請求項１】
焦点を有する曲面形状に形成すべき曲面スクリーンを、複数の被投影対象部材に分割し、複数の被投影対象部材を組み立てる曲面スクリーンの組立方法であって、
前記被投影対象部材の被投影側に前記焦点を通過する直線から前記焦点を通過しかつ緯度方向及び経度方向の少なくとも一方向に略一定の角度間隔になる各直線と被投影側の曲面とが交差する複数の位置に、第１の光の照射により発光する発光媒質を予め形成し、
少なくとも組立対象となる前記被投影対象部材の各々に前記第１の光を照射し、
中心を通過する直線から前記中心を通過しかつ緯度方向及び経度方向の少なくとも一方向に略一定の角度間隔になる各直線に沿う方向の光束を第２の光として複数射出する点光源を、前記曲面スクリーンの焦点位置に設置し、
少なくとも組立対象となる前記被投影対象部材の各々に前記第２の光を照射し、
前記第２の光の照射による前記被投影対象部材の被投影側の輝領域に、対応する前記第１の光の照射により発光する発光媒質の位置を、略合致させる
ことを特徴とする曲面スクリーンの組立方法。
【請求項２】
前記発光媒質は、緯度線、経度線または格子状の緯度線及び経度線が発光されるように、前記緯度方向に略一定の角度間隔になる隣り合う直線を含む面、及び前記経度方向に略一定の角度間隔になる隣り合う直線を含む面の少なくとも一方の面と被投影側の曲面とが交差する複数の曲線位置に形成されたことを特徴とする請求項１に記載の曲面スクリーンの組立方法。
【請求項３】
前記第１の光は、紫外線であることを特徴とする請求項１または請求項２に記載の曲面スクリーンの組立方法。
【発明の詳細な説明】
【０００１】
【発明の属する技術分野】
本発明は、曲面スクリーンの組立方法にかかり、特に、画像を表示するための曲面スクリーンの組立方法に関する。
【０００２】
【従来の技術】
一般的に、投影型の表示装置は、投影装置と被投影材料から構成されている。
投影装置には、スライドプロジェクタや映写装置が利用され、被投影材料には、反射率が高いスクリーンやビル等の壁面が利用されている。この被投影材料へ、投影装置により画像を投影することによって、画像を表示している。このように、画像を表示するには、投影して表示する画像を予め用意しなければならないが、カメラ等の撮影装置の制約上、通常、写真画像等の平面性が高い画像を用いている。
【０００３】
投影光学系は平面画像を基にするので、被投影材料も平面的な形状が要求される場合が多い。従って、略平面的なスクリーンや壁面へ写真画像等を投影している。このように、略平面的なスクリーンや壁面へ画像を投影する場合に、臨場感を増大させるには、被投影領域を増大させ、大画像を投影することが考えられる。
【０００４】
【発明が解決しようとする課題】
しかしながら、大画像を投影するためには、大型のスクリーンを用意すると共に、投影側から正確な緯度及び経度が設定されていなければならない。従って、スクリーンを組み立てたり、投影装置の位置を設定したりするときには、その組立や設定を実際の画像やテストパターン画像を表示させながら、調整する必要があり、調整作業が煩雑かつ長時間を要することになる。
【０００５】
本発明は、上記事実を考慮して、画像を投影するスクリーン等の曲面スクリーンを容易に組み立てることができる曲面スクリーンの組立方法を得ることが目的である。
【０００６】
【課題を解決するための手段】
上記目的を達成するために本発明の曲面スクリーンは、焦点を有する曲面形状に形成されかつ、被投影側に前記焦点を通過する直線から前記焦点を通過しかつ緯度方向及び経度方向の少なくとも一方向に略一定の角度間隔になる各直線と被投影側の曲面とが交差する複数の位置に、光の照射により発光する発光媒質が形成された被投影対象部材を備えたことを特徴とする。
【０００７】
本発明では、焦点を有する曲面形状に形成すべき曲面スクリーンを、複数の被投影対象部材に分割し、複数の被投影対象部材を組み立てる場合に適用される。この被投影対象部材には、被投影側に、焦点から略一定の立体角の直線が到達すべき複数の位置に、第１の光の照射により発光する発光媒質を予め形成する。これにより、第１の光の照射によって発光する、被投影対象部材の位置は、焦点から略一定の立体角方向の複数の輝点になる。そこで、少なくとも組立対象となる被投影対象部材の各々に第１の光を照射する。そして、略一定の立体角の第２の光を複数射出する点光源を、曲面スクリーンの焦点位置に設置し、少なくとも組立対象となる前記被投影対象部材の各々に第２の光を照射する。従って、被投影対象部材の被投影側には、第１の光の照射による発光領域と、第２の光の照射による輝領域とが形成される。曲面スクリーンは、その焦点位置からの立体角に対応する位置に発光媒質が形成されているので、発光領域と輝領域とは重複する必要がある。そこで、第２の光の照射による被投影対象部材の被投影側の輝領域に、対応する第１の光の照射により発光する発光媒質の位置を、略合致させる。このように、被投影対象部材の位置や向きを調整することによって、曲面スクリーン全体としての位置や向きは、ユーザの視点位置を焦点に設定したときに対応する、すなわち視点から視線方向に合致する向きの位置となるように曲面スクリーンを容易に調整することができる
前記発光媒質は、略一定の立体角の直線が少なくとも一方向に連続して到達すべき複数の曲線位置に予め形成することができる。
【０００８】
前記発光媒質は、緯度線、経度線または格子状の緯度線及び経度線が発光されるように、前記緯度方向に略一定の角度間隔になる隣り合う直線を含む面、及び前記経度方向に略一定の角度間隔になる隣り合う直線を含む面の少なくとも一方の面と被投影側の曲面とが交差する複数の曲線位置に形成することができる。
【０００９】
また、前記第１の光は、紫外線を採用することができる。すなわち、紫外線照射により発光媒質が発光するようにしてもよい。
【００１０】
曲面スクリーンは画像を表示するためのものであるので、投影によって画像を表示するときに、前記発光媒質の発光はかならずしも必要ではない。そこで、一般に目視しづらい紫外線照射により、発光媒質が発光するようにすれば、通常画像表示のときに用いられる発熱光源等の可視光線による光の照射では発光せずに、画像のみを提示することができる。すなわち、曲面スクリーンの調整時のみ紫外線照射により発光媒質が発光するように用いることができる。
【００１１】
【発明の実施の形態】
以下、図面を参照して本発明の実施の形態の一例を詳細に説明する。本実施の形態は、広視野角視覚シミュレータに本発明を適用したものである。
【００１２】
展示会やイベント会場などのプレゼンテーションを行う空間では、画像を提示させることが多く、その画像には、写真画像やＣＧ等の二次元画像が用いられることが多い。この場合、スクリーン等への平面的な表示は、単に二次元画像の拡大であり、視覚的な臨場感を伴う画像表示を得るものではない。そこで、その視覚的な臨場感という感覚を考慮することを意図して、大画面の表示には、二次元画像を曲面へ投影して表示させることが有効であるという知見を得た。本実施の形態では、ユーザの視線で画像を視覚することを想定して、二次元画像を投影するための演算に反映させている。
【００１３】
〔広視野角視覚シミュレータ〕
図１に示すように、本実施の形態の広視野角視覚シミュレータ１０は、曲面スクリーン１２、６つの液晶プロジェクタ１４、１６、１８、２０、２２、２４、ブレンディング・ユニット２６及び画像処理装置２８を備えている。曲面スクリーン１２は移動可能であるが、本実施の形態では、地面に固定されている。また、６つの液晶プロジェクタ１４〜２４は、フレーム３０によって固定されており、そのフレーム３０は地面に固定されている。６つの液晶プロジェクタ１４〜２４は、ブレンディング・ユニット２６に接続されており、ブレンディング・ユニット２６は画像処理装置２８に接続されている。
【００１４】
曲面スクリーン１２は、予め定めた曲面形状をしており、本実施の形態では、球面の一部を抽出した曲面を採用する。球面は、その中心点が焦点であり、その焦点位置がユーザＯＰの視点位置となるように、曲面スクリーン１２の形状を定める。曲面スクリーン１２は、球面に限定されるものではなく、焦点を有する曲面であればよい。また、焦点は１つに限定されるものではなく、複数あってもよい。
【００１５】
また、画像処理装置２８には、表示するための画像の基となる基準画像の画像データが記憶されており、記憶された画像データを画像処理して、ブレンディング・ユニット２６へ出力する。ブレンディング・ユニット２６は、６つの液晶プロジェクタ１４〜２４で投影される画像を、曲面スクリーン１２上で合成するための処理を実施するものであり、各液晶プロジェクタ用の画像データに変換した後に、液晶プロジェクタ１４〜２４の各々に出力する。これによって、曲面スクリーン１２には６つの液晶プロジェクタ１４〜２４からの各々の画像が投影される。
【００１６】
上記構成による広視野角視覚シミュレータの各部の詳細、及び広視野角視覚シミュレータの組立時に用いる装置の詳細を説明する。
【００１７】
〔液晶プロジェクタ〕
液晶プロジェクタ１４〜２４は、縦横の６箇所に設置される（図１参照）。上下で分類すると、上段には液晶プロジェクタ１４、１６、１８、下段には液晶プロジェクタ２０、２２、２４が設置され、左右で分類すると、左側には液晶プロジェクタ１４、２０、中側には液晶プロジェクタ１６、２２、右側には液晶プロジェクタ１８、２４が設置されている。
【００１８】
図２に示すように、本実施の形態の広視野角視覚シミュレータ１０では、ユーザＯＰがスクリーン１２を視覚可能な視界（視点位置Ｏを焦点とする立体角）が、ユーザＯＰの視覚範囲Ｓとして規定する。スクリーン１２を上下方向で考えると、中側の液晶プロジェクタ１６は、スクリーン１２の下部の投影領域を担当し、液晶プロジェクタ２２は、スクリーン１２の上部の投影領域を担当する。すなわち、液晶プロジェクタ１６、２２の投影軸は交差し、上部に設置される液晶プロジェクタ１６がスクリーン１２の下部の投影領域Ｓｄｃを投影し、下部に設置される液晶プロジェクタ２２がスクリーン１２の上部の投影領域Ｓｕｃを投影する。これら液晶プロジェクタ１６、２２の投影領域はスクリーン１２の中央部で重複するように設定されている。
【００１９】
また、液晶プロジェクタ１６、２２の投影軸は、ユーザＯＰの視線方向と異なる方向に設定されている。これは、液晶プロジェクタによる投影がユーザＯＰの影になることを避けるためである。すなわち、ユーザが視認位置から画像を視認する場合、その視認する画像は視認方向に沿う方向で投影されることが望ましいが、反射型の被投影対象曲面へ投影するときにはユーザにかぶりが生じる。これを避けるため、視認位置以外の位置から投影する。
【００２０】
同様に、左側の液晶プロジェクタ１４がスクリーン１２の下部の投影領域Ｓｕｌを担当しかつ液晶プロジェクタ２０がスクリーン１２の上部の投影領域Ｓｕｌを担当する（図４参照）。また、右側の液晶プロジェクタ１８がスクリーン１２の下部の投影領域Ｓｕｒを担当しかつ液晶プロジェクタ２４がスクリーン１２の上部の投影領域Ｓｕｒを担当する。そして、これら液晶プロジェクタ１４、２０及び１８、２４の投影領域はスクリーン１２の中央部で重複するように設定される。
【００２１】
図３に示すように、スクリーン１２を左右方向で考えると、中側の液晶プロジェクタ１６はスクリーン１２の中央部の投影領域を担当し、左右側の液晶プロジェクタ１４、１８は、スクリーン１２の右部、左部の投影領域を担当する。すなわち、液晶プロジェクタ１４、１６、１８の投影軸は交差し、中央部に設置される液晶プロジェクタ１６がスクリーン１２の中央部の投影領域Ｓｄｃを投影し、左部に設置される液晶プロジェクタ１４がスクリーン１２の右部の投影領域Ｓｄｒを投影し、右部に設置される液晶プロジェクタ１８がスクリーン１２の左部の投影領域Ｓｄｌを投影する。これら液晶プロジェクタ１４、１６、１８の投影領域はスクリーン１２上で隣り合う投影領域が重複されるように設定されている。
【００２２】
同様に、液晶プロジェクタ２０、２２、２４の投影軸は交差し、中央部に設置される液晶プロジェクタ２２がスクリーン１２の中央部の投影領域Ｓｕｃを投影し、左部に設置される液晶プロジェクタ２０がスクリーン１２の右部の投影領域Ｓｕｒを投影し、右部に設置される液晶プロジェクタ２４がスクリーン１２の左部の投影領域Ｓｕｌを投影する。これら液晶プロジェクタ２０、２２、２４の投影領域はスクリーン１２上で隣り合う投影領域が重複されるように設定される。
【００２３】
図４に、上記説明したスクリーン１２上の投影領域の分割状態を示した。液晶プロジェクタ１４は、スクリーン１２の右下部の投影領域Ｓｄｒを投影する。この投影領域Ｓｄｒは、垂直方向の境界線４０と水平方向の境界線３２とで分割した領域で規定され、上部投影領域との重複領域Ｂｒ、左部投影領域との重複領域Ｂｄｒ、上部と左斜上部と左部との投影領域との重複領域Ｂｂｒを含んでいる。液晶プロジェクタ１６は、スクリーン１２の中央下部の投影領域Ｓｄｃを投影する。この投影領域Ｓｄｃは、垂直方向の境界線３６、４２と水平方向の境界線３２とで分割した領域で規定され、上部投影領域との重複領域Ｂｃ、左部投影領域との重複領域Ｂｄｌ、右部投影領域との重複領域Ｂｄｒ、上部と左斜上部と左部との投影領域との重複領域Ｂｂｌ、上部と右斜上部と右部との投影領域との重複領域Ｂｂｒを含んでいる。液晶プロジェクタ１８は、スクリーン１２の左下部の投影領域Ｓｄｌを投影する。この投影領域Ｓｄｌは、垂直方向の境界線３８と水平方向の境界線３２とで分割した領域で規定され、上部投影領域との重複領域Ｂｌ、右部投影領域との重複領域Ｂｄｌ、上部と右斜上部と右部との投影領域との重複領域Ｂｂｌを含んでいる。
【００２４】
同様に、液晶プロジェクタ２０は、垂直方向の境界線４０と水平方向の境界線３４とで分割したスクリーン１２の右上部の投影領域Ｓｕｒを投影するもので、重複領域Ｂｒ，Ｂｕｒ，Ｂｂｒを含んでいる。液晶プロジェクタ２２は、垂直方向の境界線３６、４２と水平方向の境界線３４とで分割したスクリーン１２の中央上部の投影領域Ｓｕｃを投影するもので、重複領域Ｂｃ，Ｂｕｌ，Ｂｕｒ，Ｂｂｌ，Ｂｂｒを含んでいる。液晶プロジェクタ１８は、垂直方向の境界線３８と水平方向の境界線３４とで分割したスクリーン１２の左上部の投影領域Ｓｕｌを投影するもので、重複領域Ｂｌ，Ｂｕｌ，Ｂｂｌを含んでいる。
【００２５】
〔曲面スクリーン〕
図５に示すように、球面形状に形成された大画面の曲面スクリーン１２を形成するため、本実施の形態では、各々球面の一部を抽出した６個の曲面パーツ１２ｕｌ，１２ｕｃ，１２ｕｒ，１２ｄｌ，１２ｄｃ，１２ｄｒを接続させて組立可能に構成する。曲面スクリーン１２を曲面パーツ１２ｕｌ〜１２ｄｒで分離構成するのは、運搬を容易としかつ組み立てをも容易とするためである。なお、本実施の形態では、６個の曲面パーツを接続して曲面スクリーンを形成する場合を説明するが、分割数は６個に限定するものではなく、分割することなく、１つの曲面スクリーンを形成してもよく、２個以上の複数の曲面パーツを接続して曲面スクリーンを形成してもよい。
【００２６】
図６に示すように、曲面スクリーン１２は、ベース材１２Ｐと、そのベース材１２Ｐの表面（曲面の凹側）に塗布された塗布層１２Ｑから構成されている。塗布層１２Ｑには、紫外線蛍光インクが含まれており、紫外線が照射されることで、紫外線蛍光インクが蛍光する構成とされている。この紫外線照射には、所謂ブラックライトによる照射が可能である。本実施の形態では、紫外線蛍光インクが縦横一定間隔となるように格子状に塗布されている。紫外線蛍光インクは、曲面パーツを球状に組み立てたときに曲面スクリーン１２の焦点から一定の立体角毎に線が出現するように、すなわち一定の緯度経度の線分が出現するように、格子状に塗布されている。従って、曲面スクリーン１２には、一般的な電球や蛍光灯の照明ではなにも出現しないが、紫外線ランプ４８による紫外線の照射によって、緯度線４４、経度線４６が格子状に出現する。
【００２７】
なお、本実施の形態では、格子状に出現する緯度線４４、経度線４６を用いて説明するが、連続した線分でなくともよい。すなわち、球面の緯度及び経度が表現できればよく、十字線でもよいし、緯度線や経度線を別々に交差することなく出現させるように紫外線蛍光インクを塗布してもよい。また、球面の全ての面にわたって出現する必要もない。すなわち、詳細は後述するが、曲面パーツを組み立てるとき（球面スクリーンを形成するとき）に、各曲面パーツの向きや、曲面スクリーンの全体の位置が把握できればよく、点や所定形状のマークを塗布してもよいし、主要部のみの紫外線蛍光インク塗布でもよい。
【００２８】
また、緯度線４４及び経度線４６の何れか一方のみの塗布でも良く、何れか一方を点や所定形状のマークを散在させ、他方を線分で提示してもよい。
【００２９】
〔立体角表示装置〕
次に、立体角表示装置５０について説明する。立体角表示装置５０は、曲面スクリーン１２を組み立てるとき、または位置調整するときに用いるものであり、画像を表示するときには特に必要とするものではない。
【００３０】
図７に示すように、立体角表示装置５０は、ハロゲンランプ等の一般的な白熱光源５２を備えており、その光源５２は半球状のカバー５４の中心（焦点）位置に固定されている。この白熱光源は点光源として機能するものであり、アーク灯等の発光管を用いることができる。カバー５４は台座５６に固定されている。台座５６の下部には、移動装置５５が取り付けられている。移動装置５５は、鉛直方向（図７の矢印Ｚ方向）の移動調整、水平方向（図７の矢印Ｘ方向）の移動調整、前後方向（図７の矢印Ｙ方向）の移動調整、及びこれらの各方向を軸とした回転方向（図７の矢印Ｒｘ，Ｒｙ，Ｒｚ方向）の移動調整が可能とされる構成である。なお、これらの移動方向は、少なくとも１方向を備えるものであってもよい。この構成により、光源５２及びカバー５４の位置を自由に調整することができる。すなわち、ユーザＯＰの視点位置Ｏを自由に設置することができる。
【００３１】
半球状のカバー５４の表面または裏面には、光源５２から予め定めた一定の立体角による光線が射出されるように、すなわち、等立体角光線を射出するための明暗パターンが設けられている。
【００３２】
例えば、図８（Ａ）に示すように、半球状のカバー５４の表面または裏面には、一定の緯度経度の線分を形成し、その交点位置から少なくとも光を射出するために、スリットが形成されている。半球状のカバー５４は半径５０ｃｍの球体の一部から構成され、カバー５４に形成されるスリットのパターンの一例は、図８（Ｂ）に示すように、その内側が明部で外側が暗部となる十字形状のパターン５４Ａを採用することで、緯度線と経度線の交点を表現できる。また、図８（Ｃ）に示すように、その内側が明部で外側が暗部となる円形状のパターン５４Ｂを採用することもできる。以下の説明では、円形状のパターン５４Ｂが複数形成された明暗パターンが、半球状のカバー５４の表面または裏面に設けられた例を説明する。
【００３３】
このように、明暗パターンを半球状のカバー５４の表面または裏面に形成することで、緯度線と経度線の交点位置である予め定めた一定の立体角による光線が射出される。従って、光源５２を、ユーザＯＰの視点位置に設置し、光源５２を点灯することで、ユーザＯＰの一定の立体角による視線方向を光線として表示できる。これによって、図９に示すように、曲面スクリーン１２上には、光源５２から射出された光のうち、円形状のパターン５４Ｂを通過した円形の輝点５８が出現する。曲面スクリーン１２上に出現した輝点５８は、ユーザＯＰの一定の立体角による視線方向の光線の延長線上の位置に出現する。
【００３４】
なお、上記では、予め定めた一定の立体角で少なくとも光線が射出される明暗パターンを説明したが、上記の明暗を逆転させ、光が射出されない部分で予め定めた一定の立体角を表現するようにしてもよい。すなわち、半球状のカバー５４を、透明材質（例えばアクリル）で形成し、一定の立体角の位置に、図８（Ｂ）または図８（Ｃ）に示すパターンの不透明部を形成することで、明暗パターンを構成することができる。
【００３５】
〔曲面スクリーンの調整〕
次に、立体角表示装置５０を用いた曲面スクリーン１２の調整を説明する。まず、ユーザＯＰの視点位置Ｏ（図１）を中心として、６個の曲面パーツ１２ｕｌ〜１２ｄｒを組立て、曲面スクリーン１２を形成する。このときには、紫外線ランプ４８及び立体角表示装置５０（白熱光源５２）を点灯する。従って、曲面スクリーン１２上には、紫外線ランプ４８による紫外線の照射によって緯度線４４及び経度線４６が格子状に出現すると共に、光源５２から射出された光のうち円形状のパターン５４Ｂを通過した円形の輝点５８が出現する。
【００３６】
図１０に示すように、組立当初は、曲面スクリーン１２の位置とユーザＯＰの視線方向との相対関係が成立しないので、ユーザＯＰの一定の立体角による視線方向の光線の延長線上にある輝点５８と、緯度線４４及び経度線４６の交点とは一致しない。そこで、ユーザＯＰの視線方向、すなわち立体角表示装置５０により出現した輝点５８を基準として、図１１に示すように、６個の曲面パーツ１２ｕｌ〜１２ｄｒの設置位置（左右、上下、前後、回転）を調整し、輝点５８を緯度線４４及び経度線４６の交点と一致させる。
【００３７】
このようにして、曲面スクリーン１２の位置をユーザＯＰの視線方向との相対関係が成立するように調整する。すなわち、ユーザＯＰの視線方向に合致した緯度経度で、曲面スクリーン１２の曲面が位置するように設定される。従って、曲面スクリーン１２の焦点は、ユーザＯＰの視点Ｏに設置される。
【００３８】
〔ブレンディング・ユニット〕
次に、ブレンディング・ユニット２６を説明する。ブレンディング・ユニット２６は、６つの液晶プロジェクタ１４〜２４から投影される画像の各々を、曲面スクリーン１２上で画像を隙間なく提示するためのユニットである。本実施の形態では、ブレンディング・ユニット２６は、隣接する画像の一部を重複させつつ投影して、その重複領域の輝度を調整することで、曲面スクリーン１２上で隙間なく画像を表示させるためのものである。そこで、ブレンディング・ユニット２６において設定する、投影画像の明るさ分布について説明する。
【００３９】
図１２は、１つの液晶プロジェクタから投影する画像の明るさ分布を模式的に示したものである。この液晶プロジェクタから投影する画像の明るさ分布は、その周囲（八方）に他の画像が投影されることを想定している。詳細には、液晶プロジェクタの投影画像の投影領域６０は、ブレンド境界線６２、６３、６４、６５により分割された、部分領域Ｐｃ，Ｐｃｕ，Ｐｃｄ，Ｐｌ，Ｐｌｕ，Ｐｌｄ，Ｐｒ，Ｐｒｕ，Ｐｒｄから形成される。
【００４０】
部分領域Ｐｃは、周囲の液晶プロジェクタからの投影画像が重複することがない単一の投影画像の領域である。従って、部分領域Ｐｃの投影画像は、入力画像の明るさを１００％そのまま維持して投影することになる。この部分領域Ｐｃに対して、上下方向について明るさを考えると、部分領域Ｐｃｕは、上部の液晶プロジェクタからの投影画像を重複させるための領域であり、部分領域Ｐｃｕの投影画像は、入力画像の明るさを予め定めた勾配の分布となる特性で投影することになる。また、部分領域Ｐｃｄは、下部の液晶プロジェクタからの投影画像を重複させるための領域であり、部分領域Ｐｃｄの投影画像は、入力画像の明るさを予め定めた勾配の分布となる特性で投影することになる。従って、上下方向の明るさ特性は、図１２の左側部位に示した特性６６に設定している。
【００４１】
部分領域Ｐｌ，Ｐｌｕ，Ｐｌｄ，Ｐｒ，Ｐｒｕ，Ｐｒｄについては、上下方向の明るさについて見れば、部分領域Ｐｃ，Ｐｃｕ，Ｐｃｄと同様である。なお、部分領域Ｐｌｕは、上部の液晶プロジェクタからの２つの投影画像を重複させるための領域であることを想定すると、投影画像を重複させたときの明るさが、本来の投影画像の明るさになる値にすればよい。例えば、部分領域Ｐｃｕの明るさ分布の上限値を重複画像数で除算した値にすればよい。部分領域Ｐｌｄ，Ｐｒｕ，Ｐｒｄについても同様のため、説明を省略する。
【００４２】
次に、部分領域Ｐｃに対して、左右方向について明るさを考えると、部分領域Ｐｌは、左部の液晶プロジェクタからの投影画像を重複させるための領域であり、部分領域Ｐｌの投影画像は、入力画像の明るさを予め定めた勾配の分布となる特性で投影することになる。また、部分領域Ｐｒは、右部の液晶プロジェクタからの投影画像を重複させるための領域であり、部分領域Ｐｒの投影画像は、入力画像の明るさを予め定めた勾配の分布となる特性で投影することになる。従って、左右方向の明るさ特性は、図１２の下側部位に示した特性６８に設定している。
【００４３】
部分領域Ｐｌｕ，Ｐｃｕ，Ｐｒｕと，Ｐｌｄ，Ｐｃｄ，Ｐｒｄとについては、左右方向の明るさについて見れば、部分領域Ｐｌ，Ｐｃ，Ｐｒと同様である。なお、部分領域Ｐｌｕは、左部の液晶プロジェクタからの２つの投影画像を重複させるための領域であることを想定すると、投影画像を重複させたときの明るさが、本来の投影画像の明るさになる値にすればよい。例えば、部分領域Ｐｌの明るさ分布の上限値を重複画像数で除算した値にすればよい。部分領域Ｐｌｄ，Ｐｒｕ，Ｐｒｄについても同様のため、説明を省略する。
【００４４】
上述の上下方向の明るさ分布と、左右方向の明るさ分布を合成することによって、各部分領域の明るさ特性を決定できる。従って、液晶プロジェクタ１４〜２４の各々について、隣接する液晶プロジェクタの位置及び個数から、上記明るさ分布を定めることができる。このように、ブレンディング・ユニット２６によって、投影画像の明るさ分布を設定して、その設定された明るさ分布で液晶プロジェクタ１４〜２４の各々から画像を投影すれば、曲面スクリーン１２上では画像が隙間なく提示されると共に、重複領域における明るさも他の投影領域と同様の分布として提示することができる。
【００４５】
なお、ブレンディング・ユニット２６は、液晶プロジェクタ毎に、明るさ分布（特性６６、６８）を予め求めて記憶したものを用いても良く、その明るさ分布（特性６６、６８）を、微調整する機能を追加してもよい。
【００４６】
また、ブレンディング・ユニット２６は、液晶プロジェクタ１４〜２４の各々から投影する投影画像の投影位置を調整する調整機能を有することができる。この調整機能は、曲面スクリーン１２上における投影画像の位置を調整するものである。
【００４７】
上記では、線形の明るさ特性について説明したが、線形特性に限定されるものではなく、関数により定まる曲線や折れ線、それらの組み合わせであってもよい。また、ブレンド境界線は、直線に限定されるものではなく、関数により定まる曲線や折れ線、それらの組み合わせであってもよい。
【００４８】
〔画像処理装置〕
画像処理装置２８には、表示するための画像の基となる基準画像（平面的な二次元画像）の画像データが記憶されており、記憶された画像データを画像処理して、ブレンディング・ユニット２６へ出力する。画像処理装置２８では、曲面スクリーン１２に表示される画像をユーザの視線で視覚することを想定して、記憶している平面的な二次元画像の画像データを、ユーザの視線と異なる方向から投影するための投影画像に変換処理するものである。なお、画像処理装置２８は、以下に説明する機能以外に、輝度調整、色調整、及びトリミング調整等の所謂画像処理として知られる一般的な機能を含むことができる。
【００４９】
図１３を参照して、まず、変換処理のための初期設定である、液晶プロジェクタとユーザの位置関係を、液晶プロジェクタ１６、２２を代表例として説明する。曲面スクリーン１２は、その焦点位置Ｏ（球の中心点）にユーザＯＰの視点位置が位置することを想定して設置されている。液晶プロジェクタ１６は、曲面スクリーン１２の下方の投影を担当するものであり、ユーザＯＰの視界のうち下方（曲面スクリーン１２の下方）を平面近似的に設定した平面スクリーン（以下、仮想スクリーン）７０を目視することを仮定する。仮想スクリーン７０に画像を投影するには、液晶プロジェクタ１６は、仮想スクリーン７０の上端７０Ａを中心とした円周上でかつ上端７０Ａから仮想スクリーン７０に垂直な方向の位置１６ｐに、設置する。このようにすることで、液晶プロジェクタ１６から曲面スクリーン１２の投影領域（仮想スクリーン７０）まで画像が投影される空間と、視認位置との錯綜が回避できる。
【００５０】
同様に、液晶プロジェクタ２２は、曲面スクリーン１２の上方の投影を担当するものであり、ユーザＯＰの視界のうち上方（曲面スクリーン１２の上方）を平面近似的に設定した仮想スクリーン７２を目視することを仮定し、仮想スクリーン７２の上端７２Ａを中心とした円周上でかつ上端７２Ａから仮想スクリーン７２に垂直な方向の位置２２ｐに、設置する。このようにすることで、液晶プロジェクタ２２から曲面スクリーン１２の投影領域（仮想スクリーン７２）まで画像が投影される空間と、視認位置との錯綜が回避できる。なお、液晶プロジェクタ１８、２０、２４、２６も同様のため、説明を省略する。
【００５１】
次に、画像変換の基本原理について説明する。
図１４に示すように、液晶プロジェクタ２２は、曲面スクリーン１２からの距離Ｑｘ、高さＱｚ、水平方向の移動量Ｑｙ、投影方向の角度Ｑｑ、投影軸の回転角Ｑｒの各々をパラメータとして設定可能である。液晶プロジェクタ２２から、曲面スクリーン１２として仮想的に近似した仮想スクリーン７２へ画像を投影するものとして、各値を初期設定値に設定する。液晶プロジェクタ２２から仮想スクリーン７２へ画像を投影することを仮定すると、液晶プロジェクタ２２からの投影方向８０（図１４の一点鎖線で示した投影線の方向）に投影される仮想スクリーン７２上の画素７６は、実際には、曲面スクリーン１２上に画素７４として投影される。
【００５２】
従って、ユーザＯＰは、画素７４を目視することになるので、視線方向８２（図１４の実線で示した視線方向）と仮想スクリーン７２との交点７８に画素を形成すればよい。そこで、画素７４を目視するための視線方向８２の緯度θ、経度φを求めることにより極座標を算出する。この極座標から交点７８の座標を求める。これによって、仮想スクリーン７２上の画素７６から交点７８への移動量を求めることができる。これらの処理を液晶プロジェクタ２２からの投影方向の全て、すなわち全ての画素の座標について求めることにより、平面的な二次元画像の画像データを、ユーザの視線方向に合致した画像として投影するための画像データに変換する変形フィルタ（ジオメトリフィルタ）を求めることができる。
【００５３】
上記の変形フィルタによって、平面スクリーンに格子状に画像を表示する画像データは、液晶プロジェクタの投影領域に対応して、変形される。以下の説明では、上記変形フィルタを用いて画像を変形させた画像データを得る変換処理を、ジオメトリ変換という。例えば、図１５に示すように、液晶プロジェクタの投影画像の投影領域６０は、投影方向の極座標に応じて変形されることになる。
【００５４】
なお、上記では、隣接する画像の一部を重複させるブレンディング・ユニット２６と、基準画像（平面的な二次元画像）の画像データを投影画像に変換する画像処理装置２８とを、各々別個に構成した場合を説明したが、本発明は、この構成に限定されるものではない。すなわち、ブレンディング・ユニット２６は、隣接する画像の一部を重複させつつ投影するときにその重複領域の輝度を調整して曲面スクリーン１２上で隙間のない画像を表示させるために各画像を調整し、画像処理装置２８は、曲面スクリーン１２に表示すべき基準画像（平面的な二次元画像）の画像データを、ユーザの視線と異なる方向から投影する投影画像に変換する（ジオメトリ変換）。
【００５５】
これらのブレンディング・ユニット２６及び画像処理装置２８は、１つの装置で上記の機能を兼ね備えるように構成してもよく、また機能を分散させてもよい。機能を分散させる場合には、ブレンディング・ユニット２６に、上記ジオメトリ変換の機能を追加すればよい（ブレンディング・ジオメトリ・ユニット）。この場合、画像データを記憶するメモリは、ブレンディング・ユニット２６に備えても良く、画像処理装置２８に備えても良い。
【００５６】
また、ブレンディング・ユニット２６及び画像処理装置２８は、専用の装置を設けて構成してもよく、上記機能をソフトウェアで構築し、コンピュータによって実行されるように構成してもよい。
【００５７】
〔画像表示〕
次に、本実施の形態の広視野角視覚シミュレータ１０において、曲面スクリーン１２へ、ブレンディング・ユニット２６及び画像処理装置２８で処理された画像を、６つの液晶プロジェクタ１４〜２４から投影する過程を説明する。なお、ここでは、画像処理装置２８で実行される処理ルーチンの流れに従って説明する。
【００５８】
図１６に示すように、広視野角視覚シミュレータ１０の電源が投入されると、画像処理装置２８では、ステップ１００へ進み、各種パラメータの初期値を読み取る。この初期値には、液晶プロジェクタの位置関係、液晶プロジェクタの各々において曲面スクリーン１２上に投影すべき投影領域の位置関係がある。なお、ブレンディング・ユニット２６では、液晶プロジェクタの各々の明るさ分布の特性が読み取られるものとする。
【００５９】
次のステップ１０２では、液晶プロジェクタ１４〜２４の各々について、ステップ１００で読み取った初期値が画像変換のために設定され、次のステップ１０４において、曲面スクリーン１２に投影するための画像データを読み取る。このステップ１０４で読み取る画像データは平面的な二次元画像の画像データである。次のステップ１０６では、上記ステップ１０４で読み取った画像データを、ユーザＯＰの視線方向に合致した画像として提示するための変換処理を実行する。
【００６０】
ステップ１０６の変換処理は、液晶プロジェクタ１４〜２４の各々について定まる投影領域に投影する投影画像を、画像データから抽出し、その抽出した画像データすなわち各投影画像の画像データについて実行される。この変換処理は、上述の変形フィルタ（ジオメトリフィルタ）によって、画素毎に座標変換する処理である。この処理により、曲面スクリーン１２に表示される画像として、平面的な二次元画像の画像データをユーザの視線と異なる方向から投影するときに、ユーザの視線方向に合致した投影画像に変換されることになる。
【００６１】
次のステップ１０８では、ブレンディング・ユニット２６から、隣接する液晶プロジェクタの位置及び個数から定まる、液晶プロジェクタ１４〜２４の各々の明るさ分布を読み取ることで、投影画像の各々の画像データの明るさ（輝度）を設定する。次のステップ１１０では、液晶プロジェクタ１４〜２４の各々に画像データを出力して、曲面スクリーン１２へ画像を表示する。なお、ステップ１０８の処理は、ブレンディング・ユニット２６によって行っても良い。
【００６２】
このように、本実施の形態では、曲面スクリーン１２に表示される画像として、平面的な二次元画像の画像データをユーザの視線と異なる方向から投影するときに、ユーザの視線方向に合致した投影画像に変換される。そして、各々の投影画像の明るさ分布を設定して、その設定された明るさ分布で液晶プロジェクタ１４〜２４の各々から画像を投影するので、ユーザの視線方向に合致した画像が曲面スクリーン１２上に表示されると共に、曲面スクリーン１２上では画像が隙間なく提示され、重複領域における明るさも他の投影領域と同様の分布として提示することができる。
【００６３】
【発明の効果】
以上説明したように本発明によれば、被投影対象部材の被投影側に、焦点から略一定の立体角の直線が到達すべき複数の位置に、第１の光の照射により発光する発光媒質を予め形成されており、第１の光の照射によって発光する被投影対象部材の発光領域と、曲面スクリーンの焦点位置に設けられた略一定の立体角の第２の光の複数の射出による輝領域とを、略合致させる調整をすることにより、曲面スクリーン全体としての位置や向きは、ユーザの視点位置を焦点に設定したときに対応する、すなわち視点から視線方向に合致する向きに容易に調整することができる、という効果がある。
【図面の簡単な説明】
【図１】本発明の実施の形態にかかる広視野角視覚シミュレータの概念構成を示すブロック図である。
【図２】広視野角視覚シミュレータの液晶プロジェクタによる鉛直方向の投影領域を説明するための概念図である。
【図３】広視野角視覚シミュレータの液晶プロジェクタによる水平方向の投影領域を説明するための概念図である。
【図４】スクリーン１２に投影する液晶プロジェクタの投影領域の分割状態を示したイメージ図である。
【図５】曲面スクリーンを形成するため、接続による組立可能な構成の曲面パーツの説明図である。
【図６】紫外線照射で緯度線及び経度線が出現する曲面スクリーンの構成図である。
【図７】立体角表示装置の概念構成を示すブロック図である。
【図８】立体角表示装置で等立体角光線を射出するために半球状のカバーに形成された明暗パターンを説明するためのイメージ図である。
【図９】曲面スクリーン上に立体角表示装置で等立体角光線による輝点が表示される状態を説明するためのイメージ図である。
【図１０】曲面スクリーンの位置調整前の状態を説明するためのイメージ図である。
【図１１】曲面スクリーンの位置調整後の状態を説明するためのイメージ図である。
【図１２】ブレンディング・ユニットで設定する投影画像の明るさ分布の説明図である。
【図１３】液晶プロジェクタとユーザの位置関係を示すイメージ図である。
【図１４】ユーザの視線方向に合致した画像を投影するための変形フィルタを説明するための説明図である。
【図１５】変形フィルタにより格子状画像が変形される状態を示したイメージ図である。
【図１６】画像処理装置の処理の流れを示すフローチャートである。
【符号の説明】
１０  広視野角視覚シミュレータ
１２  曲面スクリーン（曲面スクリーン）
１２Ｐ      ベース材
１２Ｑ      塗布層（発光媒質）
１２ｕｌ〜１２ｄｒ      曲面パーツ（被投影対象部材）
１４、１６、１８、２０、２２、２４  液晶プロジェクタ
２６  ブレンディング・ユニット
２８  画像処理装置
４４  緯度線（発光媒質の位置）
４６  経度線（発光媒質の位置）
５０  立体角表示装置
５２  光源（点光源）
５４  カバー
５４Ａ，５４Ｂ    パターン
５５  移動装置
５８  輝点（輝領域）
Ｏ    視点位置（焦点位置）
【図１】
0004704552.tif 000002
【図２】
0004704552.tif 000003
【図３】
0004704552.tif 000004
【図４】
0004704552.tif 000005
【図５】
0004704552.tif 000006
【図６】
0004704552.tif 000007
【図７】
0004704552.tif 000008
【図８】
0004704552.tif 000009
【図９】
0004704552.tif 000010
【図１０】
0004704552.tif 000011
【図１１】
0004704552.tif 000012
【図１２】
0004704552.tif 000013
【図１３】
0004704552.tif 000014
【図１４】
0004704552.tif 000015
【図１５】
0004704552.tif 000016
【図１６】
0004704552.tif 000017